(57)【要約】【課題】ディスク上にある記録情報の再生時に、サブコード領域の文字による検索から、所望とする映像を高速に頭出しすることが可能な記録再生装置を提供する。【解決手段】データを伝送するバスと、映像データおよび音声データを受け取り、バスに出力するインタフェースと、テキストデータを生成し、バスに出力するテキストユニットと、バスを介して映像データ、音声データおよびテキストデータを受け取り、映像データ、音声データおよびテキストデータからハイブリッドデータを生成し、生成されたハイブリッドデータをバスに出力するプロセッサと、ハイブリッドデータをバスを介して受け取り、記録媒体に記録する記録ユニットと、記録媒体に記録されたハイブリッドデータを再生する再生ユニットと、再生ユニットから再生されたハイブリッドデータを表示する出力ユニットと、を備えている。【選択図】図１
2007080489.tif 000002
【特許請求の範囲】
【請求項１】
映像データ、音声データおよび追加データの少なくとも１
つを含むハイブリッドデータを記録媒体に記録再生する記録再生装置であって、
該記録媒体としてテープ媒体を用いて、該ハイブリッドデータを記録再生する
テープ記録再生ユニットと、
該記録媒体としてディスク媒体を用いて、該ハイブリッドデータを記録再生す
るディスク記録再生ユニットと、
通常の記録速度と異なる速度において記録する記録速度変換ユニットと、
通常の再生速度と異なる速度において再生する記録速度変換ユニットと、
該再生速度変換ユニットから出力された該ハイブリッドデータをパケット化し
て入出力する第１インタフェースユニットと、
を備えている記録再生装置。
【請求項２】
前記テープ記録再生ユニットおよび前記ディスク記録再生
ユニットの動作モードを制御する記録再生モード制御ユニットをさらに備えてい
る請求項１に記載の記録再生装置。
【請求項３】
映像データ、音声データおよび追加データを受け取り、前
記ハイブリッドデータとして出力する信号プロセシングユニットをさらに備えて
おり、該信号プロセシングユニットは、
入出力される信号に応じて符号化または復号化をおこなう符号化／復号化ユニ
ットと、
前記テープ記録再生ユニットおよび前記ディスク記録再生ユニットのそれぞれ
によって記録再生される信号に誤り訂正符号化または誤り訂正復号化をおこなう
誤り訂正符号化／復号化ユニットと、
該符号化／復号化ユニットと該誤り訂正符号化／復号化ユニットとの間で信号
を双方向に伝送可能な信号伝送ユニットと、
該信号伝送ユニットの伝送方向を制御する制御ユニットと、
前記記録再生モード制御ユニットから出力されるモード制御信号に応じて該制
御ユニットに対する制御信号を生成する制御信号生成ユニットと、
をさらに備えている請求項２に記載の記録再生装置。
【請求項４】
前記符号化／復号化ユニットは、入力されるデータを時間
軸多重することによって単一のデータストリームを生成する多重部と、
該データストリームをシャフリングするシャフリング部と、
該シャフリング部から出力されるデータを時間軸圧縮する圧縮部と、
該圧縮部から出力されるデータをデシャフリングするデシャフリング部と、
該デシャフリング部から出力されるデータを符号化する信号符号化／復号化部
と、
を有する請求項３に記載の記録再生装置。
【請求項５】
前記第１インタフェースユニットから出力されるデータに
、前記テープ記録再生ユニットまたは前記ディスク記録再生ユニットの編集制御
情報を付加する第２インタフェースユニットをさらに備えている請求項４に記
載の記録再生装置。
【請求項６】
前記第２インタフェースユニットから出力されるデータに
、ＭＰＥＧシステムの伝送規格に準拠した汎用パケット化情報を付加する第３イ
ンタフェースユニットをさらに備えている請求項５に記載の記録再生装置。
【発明の詳細な説明】
【技術分野】
【０００１】
本発明は、映像を表すデータ、音声を表すデータ、およびこれら以外の補助データをディスク媒体およびテープ媒体へ記録再生する装置に関しており、効率的な編集作業および外部システムとのネットワーク化を実現する記録再生装置に関する。
【背景技術】
【０００２】
現在、映像および音声の磁気記録再生装置として、テープ状媒体を用いたテープ式記録再生装置、ディスク状媒体を用いたディスク式記録再生装置などがある。
【０００３】
テープ式記録再生装置としては、ビデオテープレコーダ（以下、ＶＴＲと略す）、データストリーマなどがある。また、ディスク式記録再生装置としては、光磁気ディスク装置（以下、ＭＯと略す）、ハードディスクドライブ装置（以下、ＨＤＤと略す）およびフロッピー（登録商標）ディスクドライブ装置（以下、ＦＤＤと略す）などがある。
【０００４】
一方、ディジタル方式の記録再生装置の例としては、ＤＶＣ規格のＶＴＲがある。ＤＶＣ方式に関する記載は、例えば、雑誌「ナショナルテクニカルレポート」、第４１巻、第２号、１９９５年４月号、第１５２〜１５９頁にある。
【０００５】
ＤＶＣ方式ＶＴＲにおいては、映像の１フレームに相当する期間の記録信号は、１０本のトラックで構成される。１本のトラック上には４つのセクタ、すなわち、（１）ＩＴＩ（Insert and Track Information）セクタ、（２）オーディオセクタ、（３）ビデオセクタ、および（４）サブコードセクタが存在する。
【０００６】
オーディオセクタおよびビデオセクタは、それぞれ、音声を表すデータおよび映像を表すデータを記録する領域であり、それぞれのセクタは、補助的なデータを記録する領域として、オーディオＡＵＸおよびビデオＡＵＸを備えている。
【０００７】
音声および映像以外のデータ（つまり補助データ）であるサブコードは、以下の情報をサブコードセクタに記録する。ＩＤ部には、ＩＮＤＥＸ−ＩＤ（番組の検索用マーカ）、ＰＰＩＩ（画像の検索用マーカ）、ＳＫＩＰ  ＩＤ（スキップ開始位置のマーカ）および絶対トラック番号（テープ始端の記録開始トラックからの位置を示すトラック番号）等が記録情報として準備されている。
【０００８】
また、サブコードセクタのデータ部には、Title Time Code（テープ始端の記録開始フレームからの記録時間を表すタイムコード）、Rec Data（記録時の年月日を表すタイムコード）、Rec Time（記録時の時分秒を表すタイムコード）が記録できる。
【０００９】
以上、ＤＶＣ方式ではこれらの情報を用いて、テープ上に記録された映像および音声を高速サーチすることが可能である。
【発明の開示】
【発明が解決しようとする課題】
【００１０】
しかし従来のＤＶＣ方式ＶＴＲにおいて、映像データ、音声データおよび補助データは、テープ上に記録されている。したがって、記録されている映像プログラムの内容を高いリアルタイム性で、迅速に確認することができないという問題を有する。
【００１１】
また、ＤＶＣ方式ＶＴＲでは、レポーター、ジャーナリスト、編集者、またはディレクターなどのユーザが、ニュースなどの取材に関する長い説明文などをテキストデータやグラフィックデータとして効率的に記録し、その後、キーワード検索などによって求める映像および音声などを迅速に探すことができないという問題を有する。
【００１２】
一方、ＴＶ番組の事件や事故の取材チーム（つまり取材クルー）は、状況を報告するレポータやビデオカメラマンなどの複数のメンバーで構成されており、この取材チームは、一般に多くのメンバーを必要とする。取材現場のより正確な状況を説明するために、映像および音声と同時に文字データを記録し伝達できれば、ニュース取材システムの効率を向上することができる。
【００１３】
本発明は、上記課題を解決するためになされたものであり、その目的とするところは、各フレームのデータ空き領域にテキストデータやグラフィックデータを記録することにより、映像および音声で伝達できない情報（例えば詳細なコメント）を記録し、伝達することを可能にし、記録されたテキストデータなどをキーワードとして用いて映像検索の高速化を可能にし、複数のＤＶＣ方式ＶＴＲの出力映像を瞬時に取り込んで編集することによって編集効率を大幅に向上することを可能にする記録再生装置を提供することにある。
【課題を解決するための手段】
【００１４】
本発明による記録再生装置は、映像データ、音声データおよび追加データの少なくとも１つを含むハイブリッドデータを記録媒体に記録再生する記録再生装置であって、データを伝送するバスと、該映像データおよび該音声データを受け取り、該バスに出力するインタフェースと、テキストデータを生成し、該バスに出力するテキストユニットと、該バスを介して該映像データ、該音声データおよび該テキストデータを受け取り、該映像データ、該音声データおよび該テキストデータから該ハイブリッドデータを生成し、該生成されたハイブリッドデータを該バスに出力するプロセッサと、該ハイブリッドデータを該バスを介して受け取り、該記録媒体に記録する記録ユニットと、該記録媒体に記録された該ハイブリッドデータを再生する再生ユニットと、該再生ユニットから再生された該ハイブリッドデータを表示する出力ユニットと、を備えており、そのことにより上記目的が達成される。
【００１５】
ある実施例では、前記バスに接続され、ディジタルＶＴＲが通常再生時に出力するデータレートの４倍のデータレートをもつデータストリームを受け取るＶＴＲインタフェースをさらに備えている。
【００１６】
ある実施例では、通常再生時のデータレートの４倍のデータレートでデータストリームを出力するＶＴＲをさらに備えている。
【００１７】
ある実施例では、前記インタフェースは、前記映像データの単位フレーム期間のＮ倍（Ｎ：自然数）の間隔で、該映像データおよび前記音声データを出力する。
【００１８】
ある実施例では、前記追加データは、ディジタルＶＴＲの規格において定められているタイムコードおよびサブコードのうち少なくとも１つを含む。
【００１９】
ある実施例では、前記テキストデータが、１フレームに対応する前記ハイブリッドデータの前記追加データを記録する領域に格納できない場合に、複数のフレームに対応する該ハイブリッドデータの該追加データを記録する領域に格納する手段をさらに備えている。
【００２０】
ある実施例では、前記テキストデータをキーワードとして用いて検索する手段をさらに備えている。
【００２１】
ある実施例では、前記テキストデータのデータ量が前記記録媒体の記録可能なデータ量を越えるかどうかを判定する手段をさらに備えている。
【００２２】
ある実施例では、前記記録媒体から信号をシームレス再生できるかどうかを判定する手段をさらに備えている。
【００２３】
ある実施例では、前記記録媒体からのシームレス再生が可能となるように、記録されるべき前記ハイブリッドデータを、該記録媒体の異なる領域に記録する。
【００２４】
ある実施例では、前記バスに接続され、外部機器と通信をおこなうことによって前記ハイブリッドデータを該外部機器に送るか、該外部機器から受け取るかの少なくともどちらかをする通信インタフェースをさらに備えている。
【００２５】
ある実施例では、前記ハイブリッドデータは、ＭＰＥＧ規格において規定されるＰＥＳパケットまたはトランスポート・パケットのかたちで伝送される。
【００２６】
ある実施例では、前記通信インタフェースと前記外部機器との間を伝送される前記ハイブリッドデータのデータレートは、ディジタルＶＴＲが通常再生時に出力するデータレートよりも高い。
【００２７】
ある実施例では、前記通信インタフェースは、前記バス側のデータレートと前記外部機器側のデータレートとが異なるように、データレートを変換する手段をさらに備えている。
【００２８】
ある実施例では、前記バスによって伝送されるハイブリッドデータを受け取り、外部アプリケーションに対応するＡＰＩ（アプリケーション・インタフェース）仕様に変換する手段をさらに備えている。
【００２９】
ある実施例では、前記映像データを表示するディスプレイをさらに備えており、該ディスプレイは、該映像データの周波数成分のうち一部を選択的に表示する。
【００３０】
ある実施例では、属性を示すデータを前記ハイブリッドデータに付加する手段をさらに備えている。
【００３１】
ある実施例では、前記ハイブリッドデータより音声データを分離する手段と、該ハイブリッドデータを前記記録媒体に記録する手段と、該音声データを分離する手段の出力である第２の音声データを該記録媒体に記録する手段と、該記録媒体に記録された該ハイブリッドデータを再生する手段と、該第２の音声データを再生する手段と、をさらに備えている。
【００３２】
ある実施例では、前記ハイブリッドデータからの音声データを分離と、該ハイブリッドデータを該記録媒体に記録と、該音声データを分離する手段の出力である第２の音声データを該記録媒体に記録と、該記録媒体に記録された該ハイブリッドデータの再生と、該第２の音声データの再生とを同時に実行させるストリーム制御手段をさらに備えている。
【００３３】
ある実施例では、Ｎを１より大きい整数として、通常よりＮ倍高速なデータレートで入力されるＮ倍速ハイブリッドデータに対して、該Ｎ倍速ハイブリッドデータからのＮ倍速音声データの分離と、該Ｎ倍速ハイブリッドデータの該記録媒体への記録と、該Ｎ倍速音声データを分離する手段の出力である第２のＮ倍速音声データの該記録媒体への記録と、該記録媒体に記録された該ハイブリッドデータの再生と、該第２の音声データの再生とを同時に実行させるストリーム制御手段をさらに備えている。
【００３４】
ある実施例では、再生された該ハイブリッドデータおよび該第２の音声データより新たなハイブリッドデータを作り出す信号処理手段をさらに備えている。
【００３５】
ある実施例では、該第２の音声データと同じデータ形式の音声データの入力手段と、該音声データの入力手段の出力を該記録媒体に記録する手段とをさらに備えている。
【００３６】
ある実施例では、該記録媒体に記録された第２の音声データを外部装置に出力する手段をさらに備えている。
【００３７】
ある実施例では、該ハイブリッドデータより音声データを分離する手段は、該ハイブリッドデータより一定期間の連続音声データを一定の規則で並べ替えた音声データを分離する手段と、分離された音声データをさらに時間的に連続な第２の音声データに変換する手段とをさらに備えている。
【００３８】
ある実施例では、該記録媒体より再生された該第２の音声データを該ハイブリッドデータに変換する手段をさらに備えている。
【００３９】
ある実施例では、前記変換手段は、ソフトウェア処理をおこなうプロセッサおよびメモリを有する。
【００４０】
ある実施例では、該記録媒体より再生された該第２の音声データのサンプリング値の大小の変化、サンプリング周波数の変換、映像フレーム期間内のサンプリング数変換、および該第２の音声データ同士のミキシングおよび時間軸の並べ替え、編集は、それぞれ、メモリを用いたコンピュータのソフトウエア処理により行われる。
【００４１】
本発明による記録再生装置は、映像データ、音声データおよび追加データの少なくとも１つを含むハイブリッドデータを記録媒体に記録再生する記録再生装置であって、該記録媒体としてテープ媒体を用いて、該ハイブリッドデータを記録再生するテープ記録再生ユニットと、該記録媒体としてディスク媒体を用いて、該ハイブリッドデータを記録再生するディスク記録再生ユニットと、通常の記録速度と異なる速度において記録する記録速度変換ユニットと、通常の再生速度と異なる速度において再生する記録速度変換ユニットと、該再生速度変換ユニットから出力された該ハイブリッドデータをパケット化して入出力する第１インタフェースユニットと、を備えており、そのことにより上記目的が達成される。
【００４２】
ある実施例では、前記テープ記録再生ユニットおよび前記ディスク記録再生ユニットの動作モードを制御する記録再生モード制御ユニットをさらに備えている。
【００４３】
ある実施例では、映像データ、音声データおよび追加データを受け取り、前記ハイブリッドデータとして出力する信号プロセシングユニットをさらに備えており、該信号プロセシングユニットは、入出力される信号に応じて符号化または復号化をおこなう符号化／復号化ユニットと、前記テープ記録再生ユニットおよび前記ディスク記録再生ユニットのそれぞれによって記録再生される信号に誤り訂正符号化または誤り訂正復号化をおこなう誤り訂正符号化／復号化ユニットと、該符号化／復号化ユニットと該誤り訂正符号化／復号化ユニットとの間で信号を双方向に伝送可能な信号伝送ユニットと、該信号伝送ユニットの伝送方向を制御する制御ユニットと、前記記録再生モード制御ユニットから出力されるモード制御信号に応じて該制御ユニットに対する制御信号を生成する制御信号生成ユニットと、をさらに備えている。
【００４４】
ある実施例では、前記符号化／復号化ユニットは、入力されるデータを時間軸多重することによって単一のデータストリームを生成する多重部と、該データストリームをシャフリングするシャフリング部と、該シャフリング部から出力されるデータを時間軸圧縮する圧縮部と、該圧縮部から出力されるデータをデシャフリングするデシャフリング部と、該デシャフリング部から出力されるデータを符号化する信号符号化／復号化部と、を有する。
【００４５】
ある実施例では、前記第１インタフェースユニットから出力されるデータに、前記テープ記録再生ユニットまたは前記ディスク記録再生ユニットの編集制御情報を付加する第２インタフェースユニットをさらに備えている。
【００４６】
ある実施例では、前記第２インタフェースユニットから出力されるデータに、ＭＰＥＧシステムの伝送規格に準拠した汎用パケット化情報を付加する第３インタフェースユニットをさらに備えている。
【００４７】
以下に作用を説明する。上述した構成により、本発明の記録再生装置は、記録媒体への効率的なデータ記録ができる。また、記録媒体から所望の映像を高速に検索することができる。さらに、映像と関連したテキストデータの表示を効果的に行なえる。また、ネットワークに展開しつつ、複数の記録再生装置からの出力映像を瞬時に取り込み編集できるので、編集効率を大幅に上げることができる。
【００４８】
また、本発明の記録再生装置は、上記構成により、映像信号などの実時間入力信号の記録を行いながら、同時に、過去に記録した信号の通常再生および特殊再生などを行い、かつ、信号送出および編集作業を効果的に行うことができる。
【００４９】
また上記した構成により、本発明の記録再生装置は、映像信号、音声信号、データをパケット化し、データ伝送を効果的に行うことができることとなる。
【発明の効果】
【００５０】
以上のように、本発明の記録再生装置は、ディスク上にある記録情報の再生時に、サブコード領域の文字による検索から、所望とする映像を高速に頭出しすることが可能となる。また、映像と関連した長文テキストの表示が可能となる。
【００５１】
さらに、複数台、たとえば４台のＤＶＣデッキの再生映像を各モニタで確認しつつ、編集者が取り込みたいと思う映像を正確にビデオサーバー（ディスクアレイ）に記録できるので、以後の編集効率が大幅に上がる。
【００５２】
また記録時のメモリプロセスは、１倍速入力および４倍速入力に対し、（１）ＤＩＦ信号をＤＩＦ記録用ＨＤＤ１９０６に記録し、（２）オーディオ信号をＰＣＭ信号にリアルタイムで変換してオーディオ記録用ＨＤＤ１９０７に記録する。これによって高速のＤＩＦ信号をリアルタイムで記録しながら、オーディオ信号をＷｉｎｄｏｗｓ（登録商標）で標準にサポートされているファイル形式として取り扱うことができる。
【００５３】
また、ＡＴＭ伝送、Ａ／Ｂロール編集、ＡＰＩの統一によるオープンシステム性の確保などが可能となる。
【００５４】
また本発明の記録再生装置は、記録再生部として、テープ状媒体に信号を記録再生するテープ方式記録再生部とディスク状媒体に信号を記録再生するディスク方式記録再生部とを備え、映像信号、音声信号、データの少なくとも１つから成る信号の記録、再生、編集などを行う記録再生装置であって、前記ディスク状媒体に記録された映像信号、音声信号、データの少なくとも１つからなるプロセス信号を再生速度を変換して再生する再生速度変換部を備え、かつ、第１ないし第３のパケット信号を出力する第１ないし第３インタフェース部とを備えることにより、記録情報の再生速度を容易に変換でき、かつ、テープ状媒体への記録再生等とディスク状媒体への記録再生等を同時に行えるので、再生処理信号の高速伝送、ならびにＭＰＥＧシステムと互換を持ったデータの記録または再生速度を可変可能な構成とした伝送システムを提供できる。これにより、テープ方式記録再生部およびディスク方式記録再生部により構成させるハイブリット型記録再生装置のコンピュータおよび通信分野への展開が可能となる。
【００５５】
また本発明の記録再生装置は、編集制御情報付加処理部、データバケット化処理部、発生タイミング信号生成部、データ出力インターフェース部を備えた構成であり、これにより、端末によって映像信号、音声信号、データ等から構成される各パケット信号を制御できるので、各パケット信号の伝送を効果的に行うことができる。
【発明を実施するための最良の形態】
【００５６】
以下、本発明の記録再生装置の実施例を図面を参照しながら説明する。同じ参照符号は、同じ構成要素を示す。
【００５７】
（実施例１）
図１は、本発明の記録再生装置の第１の実施例のシステム構成図である。図１において、２はＣＰＵ、３はＣＰＵ２から出力されるデータを一時的に記憶するメモリ、４はＣＰＵ２とＰＣＩバス５とをとりもつインターフェース（Ｉ／Ｆ）である。ＤＶＣムービーカメラ１１は、ＤＶＣ−ＣＯＤＥＣ（またはＤＶＣの信号源）１０を備えている。ここでＤＶＣ−ＣＯＤＥＣの「ＣＯＤＥＣ」は、「COder／DECoder」の頭字語であり、ＣＣＤ（charge coupled device）素子が出力する画像を表す信号、マイクロホンが出力する音声を表す信号をＤＶＣ規格に準拠するディジタル信号に変換する。「ＤＶＣ」は、Digital Video Cassetteの頭字語である。「ＤＶＣムービーカメラ」は、ＨＤディジタルＶＣＲ協議会で合意されたディジタルＶＴＲの国際規格を満足したムービーをいう。ＤＶＣムービーカメラ１１で撮影されたＤＶＣ圧縮形式のディジタル信号（以下、「ＤＶＣ信号」という）は、ＤＶＣ／ＰＣＩ−Ｉ／Ｆ（ＤＶＣ／ＰＣＩインタフェース）６へ転送される。ここで、ＤＶＣ信号は、圧縮映像データ、音声データ、および補助データ（例えば、サブコード）により構成されている。ＤＶＣ−ＣＯＤＥＣ１０の出力である映像、音声および補助データは、ＮＴＳＣモニタ１２で視聴できる。
【００５８】
本明細書において、「ハイブリッドデータ（またはハイブリッド信号）」とは、映像、音声、データおよびテキスト等をそれぞれ１フレーム分ずつミックスしたデータである。このハイブリッドデータは、１フレームを単位とする信号であって、１つの静止画に対応する。
【００５９】
この１フレーム単位のハイブリッドデータを連続するＮ（Ｎ：２以上の整数）フレーム分、集めれば、動画、音声、長文テキストが構成でき、これをイベントと定義する。このイベントのフレームを再生する順序を変更することによって、高速再生やスロー再生が可能なイベントを再構成することができる。
【００６０】
また様々なイベントを集めれば、タイトルとよばれるイベントの集合体が構成されうる。
【００６１】
ハードディスクからのタイトルの再生においては、イベントの記録位置は、連続である必要はない。これは、ハードディスクのランダムアクセスが高速であるため、バッファを介することなく、ハイブリッドデータの出力を連続することが可能であることによる。
【００６２】
ＤＶＣ／ＰＣＩ−Ｉ／Ｆ６は、コンピュータ１のＰＣＩバス５の拡張スロットに装着されている。第１の実施例では、コンピュータとして、ＩＢＭ・ＰＣ／ＡＴ互換機を用いるが、他のコンピュータ（例えば、ＰＣ９８０１シリーズ、マッキントッシュ）を用いてシステムを構築してもよい。
【００６３】
ＰＣＩバス５に出力されたＤＶＣ信号は、ＳＣＳＩ−Ｉ／Ｆ７を介してデータ記録用ＨＤＤ８に入力され、記録される。ＤＶＣ信号のデータ量は、１フレーム当たり約１２０ｋバイトなので、記録容量が２ＧバイトのＨＤＤを用いれば実時間で約１０分間のＤＶＣ信号を記録できる。本実施例では、データ記録用媒体としてＨＤＤを用いるが、ＭＯやＰＤ（相変化型光磁気ディスクの一種）等の他の記録媒体でも同様の効果が得られる。再生時には、上記と逆の過程をたどり、データ記録用ＨＤＤ８に記録された映像、音声およびデータ信号をＮＴＳＣモニタ１２で視聴できる。
【００６４】
ＤＶＣ信号をデータ記録用ＨＤＤ８へ、フレーム落ちなくシームレスに記録しながら、テキストデータも同時に記録する。このような記録を実現するために、各フレームのサブコードまたはビデオ補助データ（ＶＡＵＸ）の空き領域へ、コンピュータ１から文字データを記録する。コンピュータ１のＯＳ（オペレーティング・システム）としては、MS-DOS、Windows 3.1（登録商標）やWindows NT（登録商標）、Windows 95（登録商標）、U
NIX（登録商標）（例えばMARC、Linux）などがある。また、コンピュータ１を制御する制御ソフトウェアの記述言語としては、アセンブリ言語、Ｃ言語、Ｃ＋＋言語などを用いることができるが、これらには限られない。
【００６５】
図２は、サブコードの一例を示す図である。１フレームの画像に対応するデータは、磁気テープの１０トラック上に記録される。トラック１７ａ〜１７ｉには、それぞれ映像データおよび音声データが記録される。領域Ａ０〜Ａ８は、音声データが記録される領域であり、領域Ｖ０〜Ｖ１４は、映像データが記録される領域である。また、１フレームの最初には、ヘッダー領域１４、サブコード領域１５、ＡＵＸ領域１６が形成されている。１フレーム（例えばＮＴＳＣの場合、１フレーム：３０分の１［秒］）あたり、例えば、６０バイト分の文字（日本語全角で３０文字、英数字半角で６０文字）を入出力するとすると、１秒間に（つまりＮＴＳＣでは３０フレームの期間に）では、日本語全角で９００字のテキストデータが記録できる。英数字半角ならば２倍の１８００文字のテキストデータが記録できる。
【００６６】
図２では、サブコード領域１５における一部のデータが１６進数で表示してある。最初のブロックでは、２バイト分のＩＤをＡＡ、ＢＢ、１バイト分のｒｅｓｅｒｖｅｄをＣＣと表示している。変更が可能な５バイト分の情報をｘｘ、ｘｘ、ｘｘ、ｘｘ、ｘｘと表示している。この５バイトの領域１５ｄ〜１５ｈに、上記したテキストデータを記録できる。
【００６７】
この機能により、取材ジャーナリストが撮影現場で映像にコメントを記録して、放送局に送ることが可能である。カメラマンがテープ式またはディスク式のＤＶＣムービカメラで撮影し、その映像プログラム内のデータ記録領域に文字を記録する。うまく運用すれば、カメラマン一人で映像と取材原稿を放送局に効率的に伝送できる。なお、上記説明でのデータは、ＤＶＣ規格で規定されるサブコード、ＶＡＵＸ等により構成されるデータであるとしたが、ＶＨＳとの互換のあるいわゆるＤ−ＶＨＳ（ディジタルデータを記録可能なＶＨＳ）で規定されたデータであってもかまわない。
【００６８】
図３は、文字を入力し、サブコードを書き換えるためのフローチャートである。第１の実施例を実現するソフトウェアでは、まず、映像プログラムの先頭フレームの管理ナンバーを入力する（Ｓ１）。次にＳ２において、サブコード領域に記録すべき文字を入力する。Ｓ３においては、入力された文字の漢字コードをアスキーコードに変換する。Ｓ４において、サブコードとして記録される容量が(1)１フレーム以内か、(2)２フレーム未満か、または(3)２フレーム以上かに応じて、制御は分岐する。(1)、(2)および(3)の場合、それぞれ制御はＳ７、Ｓ５およびＳ６にジャンプする。Ｓ５においては、次のフレームのサブコード領域に変換されたコードを記録する。Ｓ６においては、ディスクのテキストデータ記録領域に変換されたコードを記録する。Ｓ７においてディスクへの記録が完了する。以上のステップによってサブコード領域にテキスト情報が記録される。
【００６９】
例えば、１つのフレームの中に「Ｐａｎａｓｏｎｉｃ」と９文字のアルファベットをキーボード入力する場合には、上記文字はＨＤＤ内のサブコードの書換位置へ自動的に記録される。また、所望のフレームナンバーをコンピュータ１のキーボードから入力すると、所望フレームのテキストデータを表示できる。
【００７０】
また、２０フレームの映像プログラムは１２００バイトの文字を記録できるが、ここに１０００バイト分の文章を記録する場合には、上記文章は自動的にＨＤＤ内のサブコードの書換位置へ分配記録される。このように文字数が多く１フレームに納まらない場合には、自動的に次フレームの記録領域に記録する。コメント文が２フレーム以上にまたがる場合では、サブコードの文字領域の最後の文字が、たとえば空白であるかどうかで判断する。最後の文字が空白句点でない場合では、次フレームのサブコード領域に続いていると自動的に判断して文字を連続的に表示する。
【００７１】
ところで、１０フレームの映像プログラムは６００バイトの文字を記録できるが、ここに１０００バイト分の文章を記録する場合には、例えば、文字数が１０００バイト分あれば、記録領域をすべて利用しても４００バイト分の文字があふれて記録できない。この場合、データ記録用ＨＤＤ８の空き領域など優先度の低いデータ領域に４００バイト分または１０００バイト分全ての文字データを記録する。この文字情報の記録領域と文字数を表すポインタをもとの映像のサブコード領域に記録する。同様にして、１万文字以上など膨大な文字データの記録にも対応可能である。文字記録領域が不足すると、ＨＤＤの内周側の記録されていない領域へ記録することも可能である。
【００７２】
以上の様に、次フレームのサブコード領域へ記録しない方法も可能である。明らかに、文字数が多くサブコード領域に記録できない場合、はじめからＨＤＤの内周側の未記録領域に記録することできる。もとのサブコード領域以外のＨＤＤ記録領域に記録する方法は、必ずしも映像等を記録しているＨＤＤでなくて異なる文字記録専用のＨＤＤでもよい。
【００７３】
再生時には、ＳＶＧＡ−Ｉ／Ｆ９を介して、コンピュータ１用のＳＶＧＡモニタ１３上に各再生フレームに対応したテキストを表示できる。また、ＮＴＳＣモニタ１２上にもオーバーレイ手法等により表示可能である。
【００７４】
（実施例２）
再び図１を参照して、本発明による記録再生装置の第２の実施例を説明する。第２の実施例においては、サブコードの文字をキーワードとして検索する。
【００７５】
図１において、コンピュータ１のキーボード１８から入力された文字は、アスキーコードまたは漢字コードに変換されて、フレーム毎にサブコード領域１５に記録されている。検索キーワードとして入力されたキーワードＡ、キーワードＢ、キーワードＣのアスキーコードまたは漢字コードと同じコードをサブコード領域１５内に存在すると認識すれば、所望フレームと判断して検索を行う。これにより、所望する映像を高速に検索できる。
【００７６】
また、サブコードの文字表示を何フレームかに１回表示や、希望フレームナンバーを入力することにより、そのフレームの文字だけを表示させることも可能である。
【００７７】
以上、一例として、フレーム毎にサブコード領域１５へ文字などのテキストデータを記録して、検索に使用する方式について説明してきた。これと同様に、オーディオやビデオのＡＵＸデータ（ＶＡＵＸ）の空き領域にテキストデータを記録する方式でも同様の効果が得られる。
【００７８】
（実施例３）
図４は、本発明による記録再生装置の第３の実施例を説明するための図である。図４は、データ記録用ＨＤＤ８にＤＶＣ信号などの映像信号を記録再生する場合のシステムを示す。図４に示す通り、第３の実施例の基本的なシステム構成は、第１の実施例（図１に示す）と同様である。データ記録用ＨＤＤ８へ記録する前に、記録条件の設定として、ＨＤＤ記録エリア、記録時間などの設定をアプリケーション・ソフトウエア上で行い、また、再生する前に、再生条件の設定として、再生イベントシーケンス、再生時間、再生モードなどの設定をアプリケーション・ソフトウエア上で行う。
【００７９】
上記再生モードでは、通常の１倍速での再生だけでなく、順方向と逆方向のｎ／３２倍速スロー再生（ｎは整数）、ｍ倍速の高速再生（ｍは整数）、および静止画再生を実現できる。高画質な映像のスロー再生は、１つのフレームを構成する再生データ集合のＤＶＣデコーダへの転送回数を制御することにより実現できる。また、高速再生は、例えば、１０倍速再生では１０枚先のフレームを構成する再生データ集合を次々とＤＶＣデコーダに転送する方式により実現できる。静止画の再生は、１つのフレームを構成するデータ集合を設定時間までＤＶＣデコーダに転送することにより実現できる。
【００８０】
まず、ＤＶＣ信号をデータ記録用ＨＤＤ８に記録する場合、記録するＤＶＣ信号のデータ量がデータ記録用ＨＤＤ８に残された記録可能容量よりも大きくなるかどうかを、データ記録用ＨＤＤ８へ記録する前に評価し、もし記録容量を確保できなければユーザーにエラー表示等で知らせる。さらに、記録条件を満足させるための条件を評価計算し、ユーザーに知らせる機能を持つ。この機能は、アプリケーション・ソフトウエア上に持つ。
【００８１】
データ記録用ＨＤＤ８から映像、音声等を再生する場合、コンピュータ１のキーボード１８を利用して（たとえばテンキー等の操作）、再生速度をダイナミックにリアルタイム制御することができる。
【００８２】
（実施例４）
図５は、本発明の記録再生装置の第４の実施例のブロック図である。図５において、２０のＤＶＣ−Ａ、２１のＤＶＣ−Ｂ、２２のＤＶＣ−Ｃ、２３のＤＶＣ−Ｄは、いずれもＤＶＣ方式ディジタルＶＴＲである。また、３２のＩ／Ｆ−Ａ、３３のＩ／Ｆ−Ｂ、３４のＩ／Ｆ−Ｃ、３５のＩ／Ｆ−Ｄは、ＤＶＣ信号をＰＣＩバス信号の形式に変換するインターフェースであり、図４におけるＤＶＣ／ＰＣＩインタフェース６に対応する。２８のＮＴＳＣモニタＡは、２０のＤＶＣ−Ａまたは３２のＩ／Ｆ−Ａから出力されるＤＶＣ信号をデコードして表示する。２９のＮＴＳＣモニタＢ、３０のＮＴＳＣモニタＣ、３１のＮＴＳＣモニタＤについても、それぞれ２８のＮＴＳＣモニタＡと同様に各ＤＶＣ信号を表示する。また、音声信号に対してはオーディオスピーカー（図示せず）でモニターし、データに対してはコンピュータ用ディスプレー（図示せず）でモニターすることができる。
【００８３】
ＤＶＣ−Ａ  ２０の出力信号は、Ｉ／Ｆ−Ａ  ３２、ＰＣＩバス５を介してＳＣＳＩ−Ｉ／Ｆ  ７へ入力され、データ記録用ＨＤＤ８へ記録する。データ記録用ＨＤＤ８の再生信号は逆の経路をたどり、ＤＶＣ−Ａ  ２０へ入力する。ＤＶＣ−Ｂ  ２１、ＤＶＣ−Ｃ  ２２、ＤＶＣ−Ｄ  ２３についても同様である。
【００８４】
また、ＤＶＣ−Ａ  ２０、ＤＶＣ−Ｂ  ２１、ＤＶＣ−Ｃ  ２２、ＤＶＣ−Ｄ  ２３の入出力信号のデータ記録用ＨＤＤ８への記録再生は、それぞれコントローラＡ  ３６、コントローラＢ  ３７、コントローラＣ  ３８、コントローラＤ  ３９によって制御される。
【００８５】
ＤＶＣ信号を、ＨＤＤにより構成されるビデオサーバーに取り込む時には、ＤＶＣ−Ａ２０〜Ｄ２３の再生を同時に行い、各ＤＶＣ２０〜２３からの出力映像を各ＮＴＳＣモニタで確認しつつ、ＨＤＤに記録すべき価値ある映像を見つけ次第、結合制御部４０の制御によって、各コントローラより所望のＤＶＣ信号を記録する処理を素早く行う。この時、コントローラーは記録信号に自動的にタイムコード、イベント番号等の属性を付与し、データベース化する。第４の実施例の他の構成要素は、第１の実施例のそれと同じである。
【００８６】
この様にして、多くのカセットの中から必要なＤＶＣ信号をＨＤＤサーバーに効率的に選択して取り込み記録することができる。４台のＤＶＣ−ＶＴＲから同時に出力される映像を４つのＮＴＳＣモニタで同時に確認するので、プロデューサー、ディレクター、編集者等が所望する映像を効率的にＨＤＤへ記録でき、編集効率を大幅に上げることができる。
【００８７】
なお、本実施例ではＶＴＲが４台のシステム構成であるが、２台から約１０台でも同様の効果が得られる。また、ＶＴＲにＤＶＣを、汎用バスにＰＣＩバスを用いたが、他のＶＣＲ、汎用バスを用いても同様の効果が得られる。
【００８８】
またＤＶＣとして、ＤＶＣ−Ａ  ２０のみを用いて、かつ通常再生の４倍速で再生すれば、ＰＣＩバス５に入力されるデータのビットレート自体は、４台のＤＶＣを用いる場合と変わらない。その結果、図５のシステムを用いて、高速な編集作業をおこなうことができる。
【００８９】
図６は、本発明の記録再生装置の第４の実施例において用いられるデータ記録用ＨＤＤ８の記録領域を示す図である。データ記録用ＨＤＤ８の記録領域を４１の記録領域Ａ、４２の記録領域Ｂ、４３の記録領域Ｃ、４４の記録領域Ｄの４つに分割し、上述した４台のＤＶＣから出力されるＤＶＣ信号を記録するために、あらかじめ割り当てる。すなわち、４台のＤＶＣの出力信号は、それぞれ対応する記録領域に記録される。この様に、データ記録用ＨＤＤ８の記録領域をあらかじめ４つに割り当てておくことにより、データ記録用ＨＤＤ８への記録領域が限定されるため、記録媒体のリソース管理が容易になる。また、１つのテープから再生された複数のイベントの記録領域が、論理的に連続するため、データ記録用ＨＤＤ８内のデータ管理等のメンテナンスが容易になる。なお、本実施例では、システム構成を４台にしたため、データ記録用ＨＤＤ８の記録領域を４つに分割したが、システム構成が４台以外でも、システム構成の台数に応じて、データ記録用ＨＤＤ８の記録領域を分割すれば同様の効果が得られる。
【００９０】
また、高度なデータ管理能力を持つアプリケーションソフトを使用する場合には、データ記録用ＨＤＤ８の記録領域を各ＤＶＣに対応するように分割せずに、各ＤＶＣから選択されたＤＶＣ信号をデータ記録用ＨＤＤ８へ記録した場合でも、ユーザーがデータ記録用ＨＤＤ８の記録領域を意識せずに使えるように記録再生することも可能である。
【００９１】
（実施例５）
図７は、本発明による記録再生装置の第５の実施例のブロック図である。図７に示すシステムによれば、ＤＶＣ信号のＡＴＭ伝送、プログラム可能なＣＯＤＥＣ、Ａ／Ｂロール可能な編集システムが実現できる。第５の実施例の基本的な動作は、図１を参照して説明した第２の実施例と同様である。
【００９２】
ＰＣＩバス５にはＤＶＣマルチストリームＩ／Ｏ回路５０が接続されている。４つのＤＶＣコーデック５１から入出力される各４本のＤＶＣ信号ストリームの入出力を制御ソフトウエアにより制御する。４倍の高速度で伝送されてきたＤＶＣ信号を４つパラレルＤＶＣ信号に変換することにより、本構成では４倍速入力への対応も可能である。
【００９３】
また、ＡＴＭインタフェース４５はＰＣＩバス５上を伝送されるＤＶＣ信号などを高速に外部システムに伝送できる。なお、前記ＡＴＭインタフェースは、ＳＭＰＴＥ２５９Ｍ規格で定められた通信方式、あるいは、ＩＥＥＥ１３９４規格で定められた通信方式をベースとした通信インタフェースで構成することもできる。
【００９４】
さらに、Ｉ／Ｆ４７、メモリー４８、プログラマブルＣＯＤＥＣ４９により、Ａ／Ｂロール編集が可能となる。プログラマブルＣＯＤＥＣ４９は、内部に３つのＣＯＤＥＣを持ち、Ａ−ｃｈのＭＰＥＧ２−４２２Ｐｒｏｆｉｌｅ入力とＢ−ｃｈのＤＶＣ信号入力より、Ｃ−ｃｈのＭＰＥＧ２出力を生成できる。
【００９５】
図８は、第５の実施例におけるＤＶＣ信号のＡＴＭ伝送仕様を模式的に示す図である。第５の実施例においては、ＡＴＭ伝送信号は、ＭＰＥＧシステムにおいて規定されるＰＥＳパケットまたはトランスポートパケット（ＴＰ）の形態に変換して伝送される。図８における「ＤＶＣＰＲＯ」とは、ＤＶＣ規格に基づく業務用ＤＶＣで扱われている規格・データ・ファイル名を示している。前記伝送信号のフレーム処理速度は、標準である１倍速度のフレーム再生速度の２倍から１００倍の速度である。このようにＭＰＥＧシステムを利用することにより、ＭＰＥＧシステムのみでなく、ＭＰＥＧシステムと関連するシステムにおいてＤＶＣ信号とＭＰＥＧ信号との共存が広く可能となる。
【００９６】
図９は、図７のシステムを用いたハードウエアおよびソフトウエア構成の他の例を模式的に示す図である。本発明においては、上位のアプリケーションソフトウエアとその下層に位置する下位のアプリケーションソフトウエアのＡＰＩ（アプリケーション・インタフェース）を規定し、本発明のために作成する独自のアプリケーションも、市販されているアプリケーションの統一されたＡＰＩの元で使用できる様にソフトウエア構成が設計されている。これにより、本発明の記録再生装置のオープンシステム性が確保できる。上記アプリケーションとしては、ＭＰＥＧ方式、ＪＰＥＧ方式、ＤＶＣ方式、ＤＶ方式、ＤＶＣＰＲＯ方式、ＡＶＩ方式またはクイックタイムムービー方式などの中から１つ以上のデータファイル形式を取り扱うことが可能である。
【００９７】
上述の例では、コンピュータ用の汎用データバスとしてＰＣＩバスを用いた。しかしこれには限られず、例えばＥＩＳＡバスやＶＬバスを用いてもよい。
【００９８】
（実施例６）
図１１は、本発明の記録再生装置の第６の実施例のブロック図である。図１１において、１１１は映像信号入力端子、１１２は音声信号入力端子、１１３はデータ入力端子、１１４は映像信号出力端子、１１５は音声信号出力端子、１１６はデータ出力端子、１１７は信号プロセシング部、１１８は記録処理部、１１９は再生処理部、１１１０は記録速度変換処理部、１１１１は再生速度変換処理部、１１１２はテープ方式記録再生部、１１１３はディスク方式記録再生部、１１１４は記録再生モード制御部、１１１５は第１インタフェース部、１１１６は第１パケット信号出力端子、１１１７は記録処理ブロック部である。
【００９９】
以上のように構成された記録再生装置について、図１１を用いて、その動作を説明する。まず、テープ状媒体への記録再生について説明する。
【０１００】
映像信号入力端子１１１から入力された映像信号、音声信号入力端子１１２から入力された音声信号、データ入力端子１１３から入力されたデータの３系統の信号は、信号プロセシング部１１７において、並び換えや圧縮処理などが必要に応じて施され、時間軸多重されて１系統のプロセス信号に変換されて、記録処理部１１８へ入力される。プロセス信号は、記録処理部１１８において、テープ状媒体に適した記録信号に変換されて、テープ方式記録再生部１１１２へ入力される。記録再生モード制御部１１１４は、信号プロセシング部１１７からの制御信号により、テープ方式記録再生部１１１２を記録モードに設定し、これにより、上記記録信号は、テープ方式記録再生部１１１２において、テープ状記録媒体に記録される。
【０１０１】
再生時には、記録再生モード制御部１１１４は、信号プロセシング部１１７からの制御信号により、テープ方式記録再生部１１１２を再生モードに設定し、テープ方式記録再生部１１１２においてテープ状媒体から再生された再生信号は、再生処理部１１９へ入力される。再生信号は、再生処理部１１９において、記録処理部１１８とは逆の信号処理（並び換え、伸長処理など）がなされて、記録時と同様な１系統のプロセス信号となり、信号プロセシング部１１７へ入力される。プロセス信号は、信号プロセシング部１１７において、映像信号、音声信号、データの３系統の信号に分離・変換される。そして、上記３系統の信号、すなわち、映像信号、音声信号、データは、映像信号出力端子１１４、音声信号出力端子１１５、データ出力端子１１６よりそれぞれ出力される。
【０１０２】
以下に第６の実施例の動作を詳細に説明する。本発明の記録再生装置の第６の実施例においては、まず、映像信号入力端子１１１から入力される映像信号、音声信号入力端子１１２から入力される音声信号、データ入力端子１１３から入力されるデータの３系統の信号は、信号プロセシング部１１７へ転送され、ここでプロセス処理が施されて１系統の信号になって出力される。以下、信号プロセシング部１１７の内部構成および動作の一例を図１２を参照して詳細に述べる。
【０１０３】
図１２は、信号プロセシング部１１７の内部構成の一例を示すブロック図である。まず、記録時の動作を説明すると、入力された映像信号、音声信号、データは、符号化／復号化部１２５１にて、信号の種類に応じた処理を行う。その後、符号化／復号化部１２５１の出力については、信号伝送部１２５４を経由後、再生時に誤り訂正を可能せしめるために、誤り訂正符号化／復号化部１２５２にて誤り訂正符号化を行い、記録再生処理ブロック部１１１７へ出力される。なお、信号プロセシング部１１７の詳細な処理の流れは、以下のようになる。
【０１０４】
入力された３系統の信号は、多重・分離部１２６０にて時間軸多重されて１系統の信号となり、シャフリング部１２６１において所定の単位でシャフリングされ、圧縮部１２６２において圧縮処理（例えば間引きなど）が施される。この圧縮された信号は所定の単位でデシャフリング部１２６４にてデシャフリングされ、そののち、データ以外の映像信号、音声信号については信号符号化／復号化部１２６５にて符号化される。
【０１０５】
記録媒体からの再生時には、信号の流れが上記とは全く反対方向になり、記録再生処理ブロック部１１１７からの再生信号は、誤り訂正符号化／復号化部１２５２、信号伝送部１２５４を経由して符号化／復号化部１２５１へ入力される。この入力された信号は信号符号化／復号化部１２６５にて復号化され、デシャフリング部１２６４にてデシャフリングされて伸長部１２６３へ出力される。伸長部１２６３では圧縮部１２６２で行なった処理とは逆の処理、すなわち時間軸上で圧縮信号をもとにもどす伸長処理を行い、シャフリング部１２６１にてシャフリングを行なった上で、多重・分離部１２６０にて１系統の信号を３系統の信号に分離し、出力する。
【０１０６】
以下、記録媒体への記録時の処理説明にもどり、符号化／復号化部１２５１の出力は、信号伝送部１２５４を経由し、誤り訂正符号化／復号化部１２５２へ入力される。この誤り訂正符号化／復号化部１２５２は、再生処理時の復号誤りを訂正せしめるための誤り訂正符号化処理を行なうものである。そして、この誤り訂正符号化／復号化部１２５２の出力は記録再生ブロック部１１１７へ出力される。
【０１０７】
制御信号生成部１２５６は、信号伝送部１２５４を制御する第１の制御信号、および記録再生モード制御部１１１４を制御するための第２の制御信号を生成する。第１の制御信号は制御部１２５５へ入力され、この制御信号にしたがって、信号伝送部１２５４の伝送方向が制御され、符号化／復号化部１２５１から誤り訂正符号化／復号化部１２５２へ、およびその反対方向、の双方向の伝送を可能せしめている。また、制御信号生成部１２５６から出力される第２の制御信号は、記録再生モード制御部１１１４へ出力され、この制御信号により、テープ方式記録再生部１１１２およびディスク方式記録再生部１１１３の個々の記録モード／再生モードを制御する。
【０１０８】
次に図１１を再び参照すると、この信号プロセシング部１１７からの出力は、テープ媒体を用いたテープ方式記録再生部に記録できるように信号処理を施す記録処理部１１８を介して、テープ方式記録再生部１１１２に入力される。テープ方式記録再生部１１１２は、符号化された信号をテープ状媒体に記録するものであるが、この装置としては例えばＤＶＣ（Digital Video Cassette）などのディジタルＶＴＲが挙げられる。テープ方式記録再生部１１１２にて再生された再生信号は再生処理部１１９を介して信号プロセシング部１１７に送られ、この信号プロセシング部１１７で３系統の信号に分離されて出力信号１１４、１１５および１１６として出力される。
【０１０９】
任意あるいは所定の記録速度に速度変換して、メディアに記録再生する場合には、信号プロセシング部１１７からの信号は、記録速度変換処理部１１１０によって記録速度の変換（転送レートの変換）が成されたあと、ディスク方式記録再生部１１１３へ出力される。このディスク方式記録再生部１１１３は、符号化された信号をディスク状媒体に記録するものであり、この装置としては、例えばＨＤＤなどが挙げられる。
【０１１０】
記録した情報を記録時と同様または異なった速度で再生する場合には、ディスク方式記録再生部１１１３に記録された信号を再生速度変換処理部１１１１によって所望の再生速度に変換後、信号プロセシング部１１７を介して出力信号１１４、１１５、１１６として出力する。また、再生速度変換処理部１１１１の出力をパケット化するために、第１インタフェース部１１１５へ転送し、第１パケット信号を第１パケット信号出力端子１１１６から出力する。また、再生速度変換処理部１１１１の出力は第１インタフェース部１１１５を介して信号プロセシング部１１７へ入力され、記録再生処理ブロック部１１１７へフィードバックすることも可能である。
【０１１１】
記録速度変換処理部１１１０および再生速度変換処理部１１１１は、内部にバッファメモリを有しており、これにより入力されるデータのデータレートを出力されるデータのデータレートに変換することができる。
【０１１２】
例えば、記録速度変換処理部１１１０において、１フレーム分のデータ量は、１フレーム期間内に入力される。しかしコンピュータ内部のデータバスは、データ伝送レートが高いので出力するのに要する時間は、１フレーム期間の１／１０である。同様に再生速度変換処理部１１１１において、１フレーム分のデータ量は、１フレーム期間の１／１０の時間で入力される。しかし出力するときは、１フレーム期間を用いる。
【０１１３】
上述のような動作によって、カメラで撮影している信号をテープ部およびＨＤＤ部の両方に記録しながら、ＨＤＤから別のイベントを４倍速で再生して、４倍速の高速データパケットをネットワーク上に出力することが可能となる。
【０１１４】
以上が本実施例の基本的な動作であるが、以下、上述したように第１インタフェース部１１１５を組み込んだ構成である本実施例の記録再生装置について、図１１を用いて、その動作の利点を説明する。
【０１１５】
テープ媒体と比較してディスク媒体の利点の１つにランダムアクセスの容易性が挙げられ、これを活かした本実施例のメリットを説明する。今、ある映像の入力信号１１１が、信号プロセシング部１１７から出力されると、任意の記録速度への変換が可能である記録速度変換処理部１１１０を介して、ディスク方式記録再生部１１１３に記録されるように転送される。ディスク方式記録再生部１１１３はランダムアクセス性を活かし、記録された映像を即座に検索・編集しやすい構成であり、例えば、映像において、再生速度を通常の１倍速以上、およびスロー再生の１倍速以下としても、テープ状媒体と比較して、所望の記録されている映像信号の場所を容易に選択できるために編集時間を短縮できる。
【０１１６】
このようなシステム構成をとることにより、記録したい入力信号１１１、１１２、１１３が信号プロセシング部１１７を介して、記録処理部１１８からテープ方式記録再生部１１１２へ伝送され、テープ状媒体に信号を記録している時と同時に、ディスク方式記録再生部１１１３から映像信号等を再生して、再生速度変換処理部１１１１を介して第１インタフェース部１１１５へ出力させたり、またディスク方式記録再生部１１１３から再生された信号を信号プロセシング部１１７から出力信号１１４、１１５、１１６として取り出すことが可能であり、これにより記録と再生の並列処理が可能となる。
【０１１７】
また、再生出力を、第１インタフェース部１１１５から、記憶領域の節約を図るために復元可能な方法で圧縮した第１パケット信号として、第１パケット信号出力端子１１１６から取り出してもかまわない。
【０１１８】
このような記録再生装置の利用例として、ＴＶの野球中継がある。ある選手がホームランを打った場合、大抵、このホームランを打った瞬間の映像はスロー再生などで放送される。このスロー放送中でも野球のプレーは継続されており、この間にも次の選手がヒットを打つなど刻々と状況が変化し、内容が大きく変化することも考えられる。
【０１１９】
この場合、従来の記録再生装置１台では、スロー再生中に、現実に起こっているプレーを記録できず、複数台の記録再生装置を駆使して対応している。しかし、このような場合、本発明の記録再生装置を用いれば、下記に示す(1)〜(4)のモードの同時処理などが可能となり、映像の記録逃しを防止できる。なお、モードとして、静止画モード、停止モードなどを考慮すれば、さらに多種のモード設定が可能となる。
【０１２０】
(1)テープ方式記録再生部：記録モード； ディスク方式記録再生部：記録モード
(2)テープ方式記録再生部：記録モード； ディスク方式記録再生部：再生モード
(3)テープ方式記録再生部：再生モード； ディスク方式記録再生部：記録モード
(4)テープ方式記録再生部：再生モード； ディスク方式記録再生部：再生モード
記録再生モード制御部１１１４からのモード設定により、上述した実施例では、テープ方式記録再生部１１１２は記録モードであるが、このモードは、再生モード・静止画モード・停止モード等のディスク方式の記録再生部１１１３のどのようなモードにも無関係である。従って、テープ方式記録再生部１１１２とディスク方式記録再生部１１１３は、各種モードのいずれかにそれぞれ独立して設定できる。
【０１２１】
（実施例７）
図１０は、本発明の記録再生装置の第７の実施例のハードウエアおよびソフトウエア構成の説明図である。図１０において、１００１はハードウエア部、１００２はソフトウエア部であり、いわゆるＡＴ互換機を構成している。また、１００３はＰＣＩバス、１００４はＤＶＣ方式の圧縮データをＰＣＩバスに入出力するＰＣＩバスＩ／Ｆカードであり、ＰＣＩバス１００３に接続されている。また、ＰＣＩバスＩ／Ｆカード１００４は、ＤＶＣ方式の１倍速・４倍速記録再生ＶＴＲ１００５およびＤＶＣ方式ＣＯＤＥＣ１００６に接続されている。ＤＶＣ方式の１倍速・４倍速記録再生ＶＴＲ１００５はＤＶＣ方式のカセットテープ１００７にＤＶＣ方式の圧縮信号を通常の１倍速だけでなく４倍速で記録したり再生したりすることできる。カムコーダー等で６０分かけて録画したテープをＶＴＲ１００５で４倍速再生するとわずか１５分で全てのデータをＰＣＩバス１００３に送り込むことが可能である。また、リアルタイムで入ってくり映像および音声をＣＯＤＥＣ１００６でリアルタイム符号化し、ＰＣＩバス１００３に送り込むことも可能である。
【０１２２】
また、ＰＣＩバス１００３にはＡＴＭ方式、イーサネット（登録商標）方式、ＩＥＥＥ１３９４方式やファイバーチャネル方式などのネットワークＩ／Ｆカードを接続することも可能であり、この場合には本システムをＬＡＮ接続されたサーバ／ネットワーク系やＷＡＮ接続されたインタネット系に接続可能である。
【０１２３】
１００８はＳＣＳＩ方式のＩ／Ｆボードであり、ハードディスクドライブ（ＨＤＤ）１００９が複数台接続されており、ディスクアレー（ＲＡＩＤ−０、ＲＡＩＤ−３、ＲＡＩＤ−５等）を構成する。
【０１２４】
ＰＣＩバス１００３にはＰＣＩブリッジ１０１０が接続されていて、主記憶１０１１、Ｐｅｎｔｉｕｍ（登録商標）等のＣＰＵ１０１２、キャッシュメモリ１０１３、ＩＤＥインタフェース１０１４、ＩＳＡバス１０１６、キーボードおよびマウス系１０２１などと接続される。ＰＣＩブリッジ１０１０のＩＣの例として、例えば、インテル社のＴＲＩＴＯＮチップセットがあげられる。ＩＤＥインタフェース１０１４にはＩＤＥ方式のＨＤＤ１０１５が接続され、Ｗｉｎｄｏｗｓ（登録商標）−ＮＴなどのＯＳやアプリケーション・プログラムがインストールされる。
【０１２５】
また、ＩＳＡバス１０１６にはＶＧＡモニタ１０１７、サウンドブラスター等のオーディオＩ／Ｆボード１０１８、ＲＳ４２２方式Ｉ／Ｆボード１０１９、ＲＳ２３２Ｃ方式Ｉ／Ｆボード１０２０等が接続される。
【０１２６】
一方、システムディスクであるＨＤＤ１０１５内にインストールされているソフトウエア部１００２は、ＨＤＤデバイスドライバ１０２２、ＤＶＣ−Ｉ／Ｆデバイスドライバ１０２３、カーネル部を包含するＯＳ１０２４、ＩＳＡバスに接続されたデバイス１０１７〜１０２０までを制御するデバイスドライバ群１０２５、さらに、ＤＶＣストリームをコントロールするファイルサーバーソフト層１０２６、ノンリニア編集アプリケーションソフト１０２７、たとえば汎用のＷｉｎｄｏｗｓ（登録商標）−ＮＴアプリケーションソフトウエア１０２８等により構成される。
【０１２７】
さらに、ＰＣＩバス１３０３にはＡＴＭ伝送方式やイーサネット（登録商標）伝送方式のネットワークＩ／Ｆカードを接続することができる。これらのネットワークＩ／Ｆカードおよびそのデバイスドライバ、ＯＳの提供するネットワークサーバ機能等により、本システムをサーバや編集端末等の別機器と接続して映像や音声データの高速伝送、ファイル交換等がより高速で容易に実施可能となる。
【０１２８】
次に、図１０においてＶＴＲ１００５やＣＯＤＥＣ１００６よりＤＶＣ／ＰＣ−Ｉ／Ｆカード１００４を介してＰＣＩバスに入力されたＤＶＣデータストリームのプロセシングについて図１９を用いて説明する。
【０１２９】
図１９は、ＤＶＣデータストリームのプロセシングを説明するための図である。図１９において、図１０におけるＣＰＵ１０１２、キャッシュメモリ１０１３、主記憶１０１１を用いた信号プロセスをメモリプロセス１９０１と呼ぶ。図１９において、まず、１倍速（または４倍速）のＤＶＣ方式圧縮ストリームが入力４ｘ／１ｘのＩ／Ｆカード１９０２（図１０の１００４）に入力する。ＤＶＣストリーム信号形式としては、たとえば、ＤＶＣ規格で定められているＤＩＦ形式に準拠した形式とする。ＮＴＳＣ方式の場合、ＤＩＦ形式の１フレーム分の信号は、１５００ブロックの信号により構成されている。ここで、１ブロックは８０バイトのデータである。また、１フレームのＤＩＦは１５０ブロックずつのセクタに分割され、各セクタは１ブロックのヘッダー、２ブロックのサブコード、３
ブロックのＶＡＵＸ（ビデオ・オグジュアリ−）、１３５ブロックのビデオ、９ブロックのオーディオにより構成される。また、ビデオブロックとオーディオブロックはシャフリングされており、お互いに規則的に混ざり合っている。
【０１３０】
さて、入力４ｘ／１ｘのＩ／Ｆカード１９０２に入力したストリームは、ＰＣＩバスを通じてメモリプロセス１９０１に入力される。ＨＤＤ１００９への記録動作１９０５として、まず、ＤＩＦ信号は、そのままＤＩＦ記録用ＨＤＤ１９０６（１００９）に記録される。同時に、記録動作１９０５において、ＤＩＦよりオーディオブロックのみ抽出され、シャフリングがほどかれ、ＷＡＶＥ方式などＷｉｎｄｏｗｓ（登録商標）でサポートされているファイル形式と互換性のある時間的に連続したＰＣＭ音声に変換され、オーディオ記録用ＨＤＤ１９０７（１００９）に記録される。なお、実験によると、ＣＰＵにＰｅｎｔｉｕｍ（登録商標）（クロック１００ＭＨｚ）を用いた場合、この変換時間は約０．６ｍｓｅｃであり、ＮＴＳＣ方式の１フレーム期間の３３．３ｍｓｅｃに比べて十分小さかった。４倍速入力の場合でも本変換は２．４ｍｓｅｃで行えるので、ソフトウエア処理を用いても十分リアルタイム性を確保可能である。
【０１３１】
以上をまとめると、記録時のメモリプロセスは、１倍速入力および４倍速入力に対し、（１）ＤＩＦ信号をＤＩＦ記録用ＨＤＤ１９０６に記録と、（２）オーディオ信号をＰＣＭ信号にリアルタイムで変換してオーディオ記録用ＨＤＤ１９０７に記録する。
【０１３２】
ここで、ＤＩＦ信号は、記録再生のデータレートが高速であるので、ＯＳのサポートするファイルシステムを通すと、そのファイルシステムのオーバヘッドのためにリアルタイム記録が不可能になる。そこで、ＤＩＦ信号は、ＯＳのサポートするファイルシステムは通さずに、アプリケーションにより新たに作られた専用のファイルシステムによりＨＤＤに記録再生する。よって、ＨＤＤに記録されたＤＩＦ信号のファイルはＯＳからは直接、見えないが、アプリケーション専用のファイル管理テーブルを用いることによって認識が可能である。いっぽう音声信号は、記録再生レートが小さいので、ＯＳの管理するファイルシステム、例えばＦＡＴ、ＮＴＦＳまたはＨＰＦＳなどを通すことができる。
【０１３３】
まず映像の編集について説明する。まず映像の編集には、映像記録用ＨＤＤに記録された映像を編集用のイン点／アウト点のポイント用クリップ映像として編集アプリケーションによりＶＧＡモニターまたはＮＴＳＣモニター上に表示する。ＤＶＣ方式圧縮映像の表示方法として、フルデコードには時間がかかるため、まず、圧縮映像のＤＣ成分のみのソフトウエアデコードによるブラウズ画面表示を瞬間的に行い、バックグランドで実行する高画質なフルデコードの完了すれば、ＤＣ成分映像を高画質なフルデコード映像に置き換え表示することができる。この様にしてＶＧＡモニタ上に呼び出されたクリップ映像を用いて、映像イベントのイン点／アウト点を指定する。また、複数のイベントの集合体として、タイトルを作成し、再生速度等の編集制御情報を持った編集タイトルリストをＨＤＤ
１０１５に記録する。
【０１３４】
次に、音声の編集について説明する。一般にカット編集されたＤＩＦ信号を再生すると、映像のつなぎ部分でオーディオ信号のサンプリング周期性が失われバチバチと不快な音を発生し大きな問題となる。オーディオ記録用ＨＤＤ１９０７には記録プロセス１９０５および音声Ｉ／Ｆボード１９０４より編集／再生プロセス１９０８を介してオーディオ信号が記録される。音声イベントは映像タイトルの再生実時間に対応する様にイン点／アウト点が編集され、音声イベント／タイトルと映像イベント／タイトルが関係づけられる。
【０１３５】
ＤＶＣ音声の特徴として、（１）アンロックモードでは、１フレーム期間内のサンプリング数が１６００プラスマイナス２０サンプル、（２）特に業務用を対象としたロックモードでは、１６００または１６０２サンプルの組み合わせの周期的繰り返しである。カット編集によりサンプリング構造の周期性が壊れると、雑音の原因となる。そこで、オーディオをメモリプロセスによりＰＣＭ音声に変換して、カット編集時のサンプリングの連続性確保や不連続点でのクロスフェード、または多チャネル音声のミキシング等を行うと簡単に高音質を保ちながら音声信号処理が可能となる。
【０１３６】
プレビュー時の映像および音声の再生には、（１）ＬＶＤからの映像のブラウザ出力とＬＶＤから分離した音声出力のサウンドＩ／Ｆカードからの出力、（２）ＬＶＤの映像のブラウザとオーディオディスク上のＰＣＭ音声のサウンドＩ／Ｆカード出力、などが可能である。
【０１３７】
編集が完了したＤＩＦ信号形式の映像および音声の再生には、（１）ＬＶＤからのみの出力、（２）ＬＶＤの映像とオーディオディスク上のＰＣＭ音声をメモリプロセスでリアルタイムに新たに新ＤＩＦを合成して出力する、などが可能である。
【０１３８】
前述の音声編集処理をハードウエアで行うと構成が非常に複雑になるが、本発明に示した様にメモリプロセスを用い音声をＤＩＦ信号とＰＣＭ信号にリアルタイムに変換することにより、ハードウエア構成を簡略化できると共に編集／再生作業を大変効率的にすることができる。
【０１３９】
また、映像／音声の編集を繰り返すと、一般にＨＤＤ内における必要データが偏在する、いわゆるフラグメンテーション（fragmentation）の問題が発生してくる。フラグメンテーションが発生すると、４倍速記録をスムースに行うためのＨＤＤ内における連続セクタ確保に支障が出てくるため、フラグメンテーション対策として編集済みの必要データは、たとえば、ＨＤＤの内周部に集めて記録する。これにより、より高速データ記録の可能なＨＤＤの外周部に新たに４倍速記録を効率的に行うことが可能となる。
【０１４０】
（実施例８）
図１３は、本発明による記録再生装置の第８の実施例のブロック図である。第６の実施例と異なる点は、信号プロセシング部１３７に編集制御情報処理部１３１８、および第２インタフェース部１３１９を接続し、テープ方式記録再生部１１１２またはディスク方式記録再生部１１１３のドライブ情報（テープ方式記録再生部１１１２、ディスク方式記録再生部１１１３のいずれで記録再生された信号なのかを示す情報）や編集制御情報（いかなる速度変換が施されたのか、や、編集制御に関する情報）などを編集制御情報処理部１３１８にて付加し、この編集制御情報を付加した信号を第２インタフェース部１３１９を介して、容易に信号をパケット化しやすいように第２のパケット信号を第２パケット信号出力端子１３２０から出力できるようにしたことである。
【０１４１】
以上のように第１インタフェース部１１１５および第２インタフェース部１３１９を階層的に追加した第８の実施例の記録再生装置の動作を図１３を参照して説明する。
【０１４２】
放送用などの操作において、編集の効率を考慮に入れた場合、ディスクの再生モードを、１倍速の通常再生モード、および２倍速、３倍速、・・・、１０倍速の高速再生モード、またはスロー再生の１／２倍速、１／３倍速、・・・、１／１０倍速、またはこれらの逆方向である逆再生、逆スロー再生などのモードを予め登録設定しておけば、これにしたがって再生速度変換することにより、編集したい好みの信号が再生速度変換処理部１１１１から第１インタフェース部１１１５へ転送され、第１パケット信号として端子１１１６から出力可能である。またさらに、第２インタフェース部１３１９を介して編集制御情報処理部１３１８へ入力し、ここで再生された信号に関する編集制御情報を付加して、信号プロセシング部１３７を経由して、出力端子１３４、１３５、１３６から信号が出力される。
【０１４３】
上記操作において、信号が第１インタフェース部１１１５から第２インタフェース部１３１９を経由し、第２パケット信号出力端子１３２０を通じてコンピュータに伝送されるように本発明の記録再生装置をコンピュータなどと連結しておくと、コンピュータ上でソフトウェアにより任意の倍速への設定、スロー再生および静止画の指定などの編集が短時間かつ容易になり、ノンリニア編集を効率良くすることが可能となる。
【０１４４】
ここでのソフトウェアとしては、例えば、アセンブリ言語およびＣ言語などによるプログラムが考えられる。
【０１４５】
また、ディスク方式記録再生部１１１３は、検索時の操作性およびソフトの劣化が小さいなどの利点もある。
【０１４６】
このように、上記第８の実施例の記録再生装置は第７の実施例と同様、テープ方式記録再生部１１１２と、ディスク方式記録再生部１１１３と、テープ方式記録再生部１１１２およびディスク方式記録再生部１１１３間での双方向の信号伝送も可能にする信号プロセシング部１３７と、各部の制御部間において制御信号を伝送する記録再生モード制御部１１１４とを備え、各制御部が種々の動作モードに応じて各部の動作を制御する。したがって、従来では、記録再生装置を多数用いなければ実現できなかった編集等の動作を簡単に実現することができる。また、テープの記録信号を再生しながら、ディスクにデータを記録したり、テープにデータを記録しながらディスクのデータを再生したりすることが可能である。よって、テープとディスクの同時信号処理ができる。すなわち、リアルタイム（実時間）の入力信号の記録を行いながら、同時に、過去に記録した信号の通常再生および特殊再生、信号伝送およびノンリニア編集作業などを効果的に行うことができる。
【０１４７】
（実施例９）
図１４は、本発明による記録再生装置の第９の実施例のブロック図である。第９の実施例の構成が第８の実施例と異なる点は、第２インタフェース部１３１９の出力に、第３インタフェース部１４２２、および汎用パケット化情報処理部１４２１を接続し、再生速度変換処理部１１１１からの再生信号に対して、例えば、ＭＰＥＧシステムの伝送規格信号に合うようにする汎用パケット化情報を汎用パケット化情報処理部１４２１にて付与し、この付与された信号をＭＰＥＧシステムに準拠した第３パケット信号として端子１４２３から出力できる第３インタフェース部１４２２を具備した点である。
【０１４８】
以上のように、各インタフェース部をさらに階層的に追加した本実施例の記録再生装置について、図１４を用いて、その動作を説明する。
【０１４９】
図１４において端子１４１、１４２、１４３からは、例えば、高転送レートのＤＶＣ圧縮データである３０Mbpsのディジタル信号に符号化するための映像、音声およびデータや、ＭＰＥＧ−１方式により約1.5Mbpsのディジタル信号に符号化するための映像、音声およびデータや、ＭＰＥＧ−２方式によりディジタル信号に符号化するための映像、音声およびデータなどが入力される。
【０１５０】
このような入力信号は、信号プロセシング部１４７によって、プログラマブル信号処理により特殊効果の付加、文字情報の重畳、不要データの削除、時間データやインデックスデータの付加などが行なわれ、これによりデータの付加価値を高めることができる。また、外部入出力インタフェース部により、外部機器との信号送受信が可能となっている。
【０１５１】
この外部入出力インタフェース部（ここでは第３インタフェース部１４２２）に信号が入力されると、第３インタフェース部１４２２は、この信号に外部機器との信号送受信を可能にする汎用パケット化情報（伝送プロトコルにより規定されたもの）を汎用パケット化情報処理部１４２１によって追加し、これにより外部機器との信号送受信を可能せしめている。
【０１５２】
また、第３インタフェース部１４２２をはじめとする外部入出力のインタフェース部は、IEEE1394規格、SCSIまたはSCSI-2,SCSI-3規格などの規格を満たすように構成される。これにより、上述したディジタル信号を取り扱う記録再生装置により、他のＡＶ機器やＤＯＳ／Ｖ機をはじめとするコンピュータなどとの間でデータ通信を行うことが可能となる。例えば、放送用などに用いる取材データをノンリニア編集した後に、有線データ回線および衛星データ回線等を通じて世界中にリアルタイムで通信することが可能となる。
【０１５３】
なお、上述した各実施例では、テープ式記録再生装置としてはディジタルＶＴＲのＤＶＣを例として説明したが、Ｄ３、Ｄ５などの他のディジタルＶＴＲでも同様の効果が得られる。また、ディスク式記録再生装置としてはハードディスクドライブ装置（ＨＤＤ）を例として説明したが、相変化型光ディスクのドライブ装置、光磁気ディスクおよびフロッピー（登録商標）ディスクドライブ装置（ＦＤＤ）などの他のディスク式記録再生装置でも同様の効果が得られる。ディスク方式記録再生部１１１３であるＨＤＤの記録メディアの記録容量が、例えば１Ｇbyte程度であれば、ＭＰＥＧ−１方式の圧縮率は1.5Mbpsと高いために、パケットヘッダなどに付加した記録信号レートは２Mbps以下となるので、このＨＤＤには６０分以上の記録が可能となる。
【０１５４】
（実施例１０）
図１５は、本発明の記録再生装置の第１０の実施例のブロック図である。
【０１５５】
図１５において、１５１は映像信号入力端子、１５２は音声信号入力端子、１５３はデータ入力端子、１５４は映像信号出力端子、１５５は音声信号出力端子、１５６はデータ出力端子、１５７は信号プロセシング部、１５８は第１記録処理部、１５９は第１再生処理部、１５１０は第２記録処理部、１５１１は第２再生処理部、１５１２はテープ方式記録再生部、１５１３はディスク方式記録再生部、１５１４は記録再生モード制御部、１５１５は編集制御情報付加処理部、１５１６は第１パラレル／シリアル変換部、５１７はシリアルデータパケット化処理部、１５１８は第１発生タイミング信号生成部、５１９データ出力インターフェース部、１５２０はパケット信号出力端子である。
【０１５６】
以上のように構成された記録再生装置について、図１５を用いて、その動作を説明する。
【０１５７】
まず、テープ状媒体への記録再生について説明する。
【０１５８】
映像信号入力端子１５１から入力された映像信号、音声信号入力端子１５２から入力された音声信号、データ入力端子１５３から入力されたデータの３系統の信号は、信号プロセシング部１５７において、並び換えまたは圧縮処理され、１系統のプロセス信号に変換されて、第１記録処理部１５８へ入力される。プロセス信号は、第１記録処理部１５８において、テープ状媒体に適した記録信号に変換されて、テープ方式記録再生部１５１２へ入力される。記録再生モード制御部１５１４は、信号プロセシング部１５７からの制御信号により、テープ方式記録再生部１５１２を記録モードに設定し、これにより、上記記録信号は、テープ方式記録再生部１５１２において、テープ状記録媒体に記録される。
【０１５９】
再生時には、記録再生モード制御部１５１４は、信号プロセシング部１５７からの制御信号により、テープ方式記録再生部１５１２を再生モードに設定し、テープ方式記録再生部１５１２において、テープ状媒体から再生された再生信号は、第１再生処理部１５９へ入力される。再生信号は、第１再生処理部１５９において、第１記録処理部１５８とは逆の信号処理がなされて記録時と同様な１系統のプロセス信号となり、信号プロセシング部１５７へ入力される。プロセス信号は、信号プロセシング部１５７において、映像信号、音声信号、データの３系統の信号に変換される。上記３系統の信号、すなわち、映像信号、音声信号、データは、映像信号出力端子１５４、音声信号出力端子１５５、データ出力端子１５６よりそれぞれ出力される。
【０１６０】
次に、ディスク状媒体への記録再生について説明する。
【０１６１】
映像信号入力端子１５１から入力された映像信号、音声信号入力端子１５２から入力された音声信号、データ入力端子１５３から入力されたデータの３系統の信号は、信号プロセシング部１５７において、テープ状媒体への記録再生の場合と同様に、１系統のプロセス信号に変換されて、第２記録処理部１５１０へ入力される。プロセス信号は、第２記録処理部１５１０において、ディスク状媒体に適した記録信号に変換されて、ディスク方式記録再生部１５１３へ入力される。記録再生モード制御部１５１４は、信号プロセシング部１５７からの制御信号により、ディスク方式記録再生部１５１３を記録モードに設定し、これにより、上記記録信号は、ディスク方式記録再生部１５１３において、ディスク状記録媒体に記録される。
【０１６２】
再生時には、記録再生モード制御部１５１４は、信号プロセシング部１５７からの制御信号により、ディスク方式記録再生部１５１３を再生モードに設定し、ディスク方式記録再生部１５１３において、ディスク状媒体から再生された再生信号は、第２再生処理部１５１１へ入力される。再生信号は、第２再生処理部１５１１において、第２記録処理部１５１０とは逆の信号処理がなされて記録時と同様な１系統のプロセス信号となり、信号プロセシング部１５７へ入力される。プロセス信号は、信号プロセシング部１５７において、映像信号、音声信号、データの３系統の信号に変換される。上記３系統の信号、すなわち、映像信号、音声信号、データは、映像信号出力端子１５４、音声信号出力端子１５５、データ出力端子１５６よりそれぞれ出力される。
【０１６３】
信号プロセシング部１５７において生成されたプロセス信号は、編集制御情報付加処理部１５１５において、記録再生モード制御部１５１４からのテープ方式記録再生部５１２およびディスク方式記録再生部１５１３の編集制御情報を付加され、パラレルデータとなり、第１パラレル／シリアル変換部１５１６へ入力される。ここで付加される編集制御情報としては、撮影日時、撮影者、撮影場所などの撮影条件に関する情報や、通常再生および特殊再生の識別などの再生条件に関する情報が挙げられる。
【０１６４】
パラレルデータは、第１パラレル／シリアル変換部１５１６においてシリアル信号に変換され、シリアルデータパケット化処理部１５１７へ入力される。シリアルデータパケット化処理部１５１７において、第１パラレル／シリアル変換部１５１６から出力されるシリアルデータに対して、チャンネル番号が付加され、時間軸多重されて、第１発生タイミング信号生成部１５１８から出力される第１発生タイミング信号に同期してパケット化される。そして、時間軸は一定期間のフレーム期間に分割され、さらに各フレーム期間は複数の単位パケット伝送期間に分割され、単一または複数の単位パケット伝送期間内において、パケット化されたシリアルデータは、データ出力インターフェース部１５１９へ入力される。
【０１６５】
なお、編集制御情報付加処理部１５１５から出力される信号がシリアルの場合には、編集制御情報付加処理部１５１５から出力される信号は第１パラレル／シリアル変換部１５１６を経由せずに、直接シリアルデータパケット化処理部１５１７へ入力される。
【０１６６】
第１発生タイミング信号生成部１５１８は、編集制御情報付加処理部１５１５からの制御信号により、各パケットを発生するための第１発生タイミング信号とパケット信号を出力するための第１クロック信号とを生成する。データ出力インターフェース部１５１９より、パケット信号は、パケット番号を基準に特定のパケット伝送期間において、第１クロック信号に同期してパケット信号出力端子１５２０へ出力される。
【０１６７】
（実施例１１）
図１６は、本発明による記録再生装置の第１１の実施例のブロック図である。図１６において、１６２１はパラレルデータパケット化処理部、１６２２は第２発生タイミング信号生成部、１６２３は第２パラレル／シリアル変換部であり、他の構成要素は図１５と同様である。
【０１６８】
以上のように構成された記録再生装置について、図１６を用いて、その動作を説明する。なお、本実施例において、上述した第１０の実施例と同様の構成・動作を行う部分については、第１０の実施例にて述べた通りであるので説明を省略する。
【０１６９】
信号プロセシング部１５７において生成されたプロセス信号は、編集制御情報付加処理部１５１５において、記録再生モード制御部１５１４からのテープ方式記録再生部５１２およびディスク方式記録再生部１５１３の編集制御情報を付加され、パラレルデータとなり、パラレルデータパケット化処理部１６２１へ入力される。パラレルデータパケット化処理部１６２１において、編集制御情報付加処理部１５１５から出力されるパラレルデータに対してチャンネル番号が付加され、時間軸多重されて、第２発生タイミング信号生成部１６２２から出力される第２発生タイミング信号に同期してパケット化される。
【０１７０】
そして、時間軸は一定期間のフレーム期間に分割され、各フレーム期間は複数の単位パケット伝送期間に分割され、単一または複数の単位パケット伝送期間内において、上記パケット化されたパラレルデータは、データ出力インターフェース部１５１９へ入力される。パラレルデータパケット化処理部１６２１から出力されるパラレルデータは、第２パラレル／シリアル変換部１６２３において、シリアル信号に変換され、データ出力インターフェース部１５１９へ入力される。第２発生タイミング信号生成部１６２２は、編集制御情報付加処理部１５１５からの制御信号により、各パケットを発生する第２発生タイミング信号と、パケット信号を出力する第２クロック信号とを生成する。データ出力インターフェース部１５１９より、パケット信号は、パケット番号を基準に特定のパケット伝送期間において、第２クロック信号に同期してパケット信号出力端子１５２０へ出力される。その他は、第１０の実施例と同様である。
【０１７１】
図１７は、上述した第１０および第１１の実施例における記録再生装置をネットワークへ接続したときの構成例を示す図である。図１８は、図１７に示した構成において、１フレーム期間に第１ネットワーク１７３１で伝送される各パケット信号を示す図である。したがって図１８に示す時間軸上でマルチプレクスされたデータは、図１５および図１６のパケット信号出力端子１５２０から出力されるデータを示す。
【０１７２】
図１７において、１７２４は第１のディジタルＶＴＲ（第１ＤＶＴＲ）、１７２５は第２のディジタルＶＴＲ（第２ＤＶＴＲ）、ここではディジタルＶＴＲとしてＤＶＣを用いる。１７２６はアナログＶＴＲ（ＡＶＴＲ）、１７２７はハードディスク装置（以降、ＨＤＤと略称する）、１７２８は光磁気ディスク装置（以降、ＭＯと略称する）、１７２９は端末、１７３０はインターフェース装置、１７３１は第１ネットワーク、１７３２は第２ネットワークである。第１ネットワーク１７３１としては、例えば、８ビットパラレルバスであるＳＣＳＩバス、またはＰＣＩバスを用いることができる。第２ネットワーク１７３２としては、例えば、ＳＭＰＴＥの２５９Ｍ規格によって定められる同軸ケーブルを用いることができる。このＳＭＰＴＥの２５９Ｍ規格に準拠するケーブルは、２７０Ｍｂｐｓのデータを運ぶことができる。したがって第１のネットワーク１７３１に接続されるデバイス（例えば第１ＤＶＴＲ１７２４）１つあたりのデータレートが３０Ｍｂｐｓであるとすると、理論上、合計で９つのデバイスを第１のネットワーク１７３１に接続することができる。
【０１７３】
図１８において、１８３３は端末１７２９から出力されるヘッダ、１８３４は第１のディジタルＶＴＲ１７２４から出力されるパケット信号、１８３５は第２のディジタルＶＴＲ１７２５から出力されるパケット信号、１８３６はアナログＶＴＲ１７２６から出力されるパケット信号、１８３７はＨＤＤ１７２７から出力されるパケット信号、１８３８はＭＯ１７２８から出力されるパケット信号、１８３９は端末１７２９から出力される信号である。
【０１７４】
ここで、端末１７２９は、第１ネットワーク１７３１に接続された別の機器の入出力制御やタスク管理を行うマスター機器である。また、第１のディジタルＶＴＲ１７２４、第２のディジタルＶＴＲ１７２５、アナログＶＴＲ１７２６は、本発明の第１０の実施例または第１１の実施例にて構成された記録再生装置であり、端末１７２９により指示または制御されて処理を行うスレーブ機器である。
【０１７５】
以上のように第１ネットワーク１７３１に接続された各記録再生装置に関わる動作について、図１７および図１８を用いて説明する。
【０１７６】
第１ネットワーク１７３１は、例えば伝送速度３００Ｍｂｐｓのデータネットワークであり、第２ネットワーク１７３２は、イーサーネットなどの汎用のネットワークである。インターフェース装置１７３０においては、第１ネットワーク１７３１で伝送される信号が、転送速度変換されて、第２ネットワーク１７３２へ出力される。逆に、第２ネットワーク１７３２で伝送される信号は、転送速度変換されて、第１ネットワーク１７３１へ出力される。
【０１７７】
端末１７２９により、第１のディジタルＶＴＲ１７２４から出力されるパケット信号１８３４、第２のディジタルＶＴＲ１７２５から出力されるパケット信号１８３５、アナログＶＴＲ１７２６から出力されるパケット信号１８３６、ＨＤＤ１７２７から出力されるパケット信号１８３７、ＭＯ１７２８から出力されるパケット信号１８３８、端末１７２９から出力される信号１８３９などには、端末１７２９からのヘッダ１８３３が付加され、１フレーム期間（１／３０秒）の信号となり、第１ネットワーク１７３１に出力される。
【０１７８】
以上のように分割された１フレーム期間の第１ネットワーク１７３１で伝送されるパケット信号について、図１８を用いて、その内容を説明する。
【０１７９】
第１ネットワーク１７３１の１フレーム期間（１／３０秒）に、端末１７２９から出力されるヘッダ１８３３、第１のディジタルＶＴＲ１７２４から出力されるパケット信号１８３４、第２のディジタルＶＴＲ１７２５から出力されるパケット信号１８３５、アナログＶＴＲ１７２６から出力されるパケット信号１８３６、ＨＤＤ１７２７から出力されるパケット信号１８３７、ＭＯ１７２８から出力されるパケット信号１８３８、端末１７２９から出力される信号１８３９などの信号を伝送する。
【０１８０】
なお、本実施例では、第１ネットワーク１７３１に接続された端末１７２９を、第１ネットワーク１７３１に接続された別の機器の入出力制御やタスク管理を行うマスターとして用い、各パケット信号を制御している。しかし、第２ネットワーク１７３２に接続された端末、あるいは、図１５および図１６に示す記録再生装置などをマスターとして用い、各パケット信号を制御しても同様の効果が得られる。また、第２ネットワーク１７３２としてイーサーネットを示したが、ＡＴＭ、ＳＤＩ（ＳＭＰＴＥ２５９Ｍ）、Ｐ１３９４、Ｐ１３５５、ＡＶ−ＢＵＳ、ＣＥ−ＢＵＳなどの他のネットワークでも同様の効果が得られる。さらに、ディジタルＶＴＲとしてＤＶＣを示したが、Ｄ３、Ｄ５などの他のディジタルＶＴＲでも同様の効果が得られる。
【０１８１】
また本実施例では、映像、音声、データの３つが混合（重畳）された信号をパケット化するものとしたが、必ずしも３つの信号が必要ではなく、これらの少なくとも１つを含んだ信号であればよい。また、図１５および図１６に示す記録再生装置は、パケット信号を発生し出力する装置として構成されている。しかし、図１５および図１６に示す記録再生装置のパケット信号を発生し出力する部分などを逆の信号処理をする構成にすれば、パケット信号を入力し記録再生する装置にもできる。
【図面の簡単な説明】
【０１８２】
【図１】本発明による記録再生装置の第１の実施例のシステム構成図である。
【図２】サブコードの一例を示す図である。
【図３】文字を入力し、サブコードを書き換えるためのフローチャートである。
【図４】本発明による記録再生装置の第３の実施例を説明するための図である。
【図５】本発明による記録再生装置の第４の実施例のブロック図である。
【図６】本発明の記録再生装置の第４の実施例において用いられるデータ記録用ＨＤＤ８の記録領域を示す図である。
【図７】本発明による記録再生装置の第５の実施例のブロック図である。
【図８】第５の実施例におけるＤＶＣ信号のＡＴＭ伝送仕様を模式的に示す図である。
【図９】図７のシステムを用いたハードウエアおよびソフトウエア構成の他の例を模式的に示す図である。
【図１０】本発明の記録再生装置の第７の実施例のハードウエアおよびソフトウエア構成の説明図である。
【図１１】本発明の記録再生装置の第６の実施例のブロック図である。
【図１２】信号プロセシング部１１７の内部構成の一例を示すブロック図である。
【図１３】本発明による記録再生装置の第８の実施例のブロック図である。
【図１４】本発明による記録再生装置の第９の実施例のブロック図である。
【図１５】本発明の記録再生装置の第１０の実施例のブロック図である。
【図１６】本発明による記録再生装置の第１１の実施例のブロック図である。
【図１７】上述した第１０および第１１の実施例における記録再生装置をネットワークへ接続したときの構成例を示す図である。
【図１８】図１７に示した構成において、１フレーム期間に第１ネットワーク１７３１で伝送される各パケット信号を示す図である。
【図１９】ＤＶＣデータストリームのプロセシングを説明するための図である。
【符号の説明】
【０１８３】
１  コンピュータ
２  ＣＰＵ
３  メモリ
４  インタフェース
５  ＰＣＩバス
６  ＤＶＣ／ＰＣＩ−Ｉ／Ｆ
７  ＳＣＳＩ−Ｉ／Ｆ
８  データ記録用ＨＤＤ
９  ＳＶＧＡ−Ｉ／Ｆ
１０  ＤＶＣ−ＣＯＤＥＣ
１１  ＤＶＣムービーカメラ
１２  ＮＴＳＣモニタ
１３  ＳＶＧＡモニタ
【図１】
2007080489.tif 000003
【図２】
2007080489.tif 000004
【図３】
2007080489.tif 000005
【図４】
2007080489.tif 000006
【図５】
2007080489.tif 000007
【図６】
2007080489.tif 000008
【図７】
2007080489.tif 000009
【図８】
2007080489.tif 000010
【図９】
2007080489.tif 000011
【図１０】
2007080489.tif 000012
【図１１】
2007080489.tif 000013
【図１２】
2007080489.tif 000014
【図１３】
2007080489.tif 000015
【図１４】
2007080489.tif 000016
【図１５】
2007080489.tif 000017
【図１６】
2007080489.tif 000018
【図１７】
2007080489.tif 000019
【図１８】
2007080489.tif 000020
【図１９】
2007080489.tif 000021